(57)【要約】【課題】起動時の無駄な電力の消費を抑制可能な電源制御技術を提供する。【解決手段】電源制御基板１１９は、サブＣＰＵ１０５の制御の下、操作パネル１１５、ＦＡＸ１１６、画像読取部１１７及び画像形成部１１８の各ユニットへの通電を制御する。メインＣＰＵ１０９は、ＡＣスイッチ１１４がオンにされて、サブＣＰＵ１０５の制御の下、メインＣＰＵ回路電源生成部１０３を介して電力が供給されると、起動時処理を行う。サブＣＰＵ１０５は、各ユニットへの通電を制御する電源制御基板１１９を制御すると共に、メインＣＰＵ回路電源生成部（ＤＣ／ＤＣ）１０３を制御してメインＣＰＵ回路１０８への通電を制御するものであって、起動時処理の後に、各ユニットに対して電力を供給しないよう電源制御基板１１９を制御する。【選択図】図１
2011028727.tif 000002
【特許請求の範囲】
【請求項１】
所定の処理を行う少なくとも１つの処理手段と、
電源から得られる電力の前記処理手段への供給又は供給の遮断を制御する電源制御手段と、
前記電源から電力が得られた場合、起動時処理を行うメイン制御手段と、
前記起動時処理の後に、前記処理手段の全部又は一部に対して電力を供給しないよう前記電源制御手段を制御するサブ制御手段とを備える
ことを特徴とする電気機器。
【請求項２】
前記電源制御手段は、前記処理手段毎に独立して通電を制御する
ことを特徴とする請求項１記載の電気機器。
【請求項３】
前記サブ制御手段は、電源から得られる電力の前記メイン制御手段への供給又は供給の遮断を制御し、
前記メイン制御手段と前記サブ制御手段との接続とは、前記サブ制御手段に電力が供給された状態で、前記メイン制御手段の着脱が可能な接続である
ことを特徴とする請求項１又は２に記載の電気機器。
【請求項４】
前記処理手段と前記メイン制御手段との接続は、前記メイン制御手段に電力が供給された状態で、前記処理手段の着脱が可能な接続である
ことを特徴とする請求項１乃至３のいずれか一項に記載の電気機器。
【請求項５】
前記サブ制御手段は、前記処理手段の全部又は一部によって実行されるジョブの要求を受け付けた場合に、前記処理手段に対して電力を供給するよう前記電源制御手段を制御する
ことを特徴とする請求項１乃至４のいずれか一項に記載の電気機器。
【請求項６】
前記サブ制御手段は、前記処理手段の全部又は一部によって実行されるジョブの要求を受け付けた場合に、前記処理手段のうち、前記ジョブの実行に必要な第１処理手段を判定し、前記第１処理手段に対して電力を供給するよう前記電源制御手段を制御する
ことを特徴とする請求項１乃至４のいずれか一項に記載の電気機器。
【請求項７】
前記処理手段毎に、電力が供給されている状態から電力の供給が遮断されるまでの時間を各々設定する設定手段を更に備え、
前記サブ制御手段は、前記処理手段毎に設定された各々前記時間に応じて、各前記処理手段に対して電力の供給を遮断するよう前記電源制御手段を制御する
ことを特徴とする請求項１乃至６のいずれか一項に記載の電気機器。
【請求項８】
外部装置と通信を行う通信手段を更に備え、
前記設定手段は、前記外部装置と前記通信手段を介して通信を行なって前記時間を設定し、設定した前記時間を不揮発性の記憶手段に記憶させる
ことを特徴とする請求項７に記載の電気機器。
【請求項９】
画像の形成に係る処理を行う処理手段を少なくとも１つ含み、所定の処理を行う少なくとも１つの処理手段と、
電源から得られる電力の前記処理手段への供給又は供給の遮断を制御する電源制御手段と、
前記電源から電力が得られた場合、起動時処理を行うメイン制御手段と、
前記起動時処理の後に、前記処理手段の全部又は一部に対して電力を供給しないよう前記電源制御手段を制御するサブ制御手段とを備える
ことを特徴とする画像形成装置。
【請求項１０】
各々異なる処理を行う少なくとも１つの処理手段と、電源から得られる電力の前記処理手段への供給又は供給の遮断を制御する電源制御手段と、メイン制御手段と、前記起動時処理の後に、前記処理手段の全部又は一部に対して電力を供給しないよう前記電源制御手段を制御するサブ制御手段とを備える電気機器で実行される電源制御方法であって、
前記サブ制御手段が、前記処理手段の全部又は一部によって実行されるジョブの要求を受け付けた場合に、前記処理手段に対して電力を供給するよう前記電源制御手段を制御するステップを含む
ことを特徴とする電気機器制御方法。
【請求項１１】
各々異なる処理を行う少なくとも１つの処理手段と、電源から得られる電力の前記処理手段への供給又は供給の遮断を制御する電源制御手段と、メイン制御手段と、前記起動時処理の後に、前記処理手段の全部又は一部に対して電力を供給しないよう前記電源制御手段を制御するサブ制御手段とを備える電気機器で実行される電源制御方法であって、
前記サブ制御手段が、前記処理手段の全部又は一部によって実行されるジョブの要求を受け付けた場合に、前記処理手段のうち、前記ジョブの実行に必要な第１処理手段を判定し、前記第１処理手段に対して電力を供給するよう前記電源制御手段を制御するステップを含む
ことを特徴とする電気機器制御方法。
【請求項１２】
請求項１０又は１１に記載の電気機器制御方法をコンピュータに実行させるためのプログラム。
【発明の詳細な説明】
【技術分野】
【０００１】
本発明は、電気機器、画像形成装置、電気機器制御方法及びプログラムに関する。
【背景技術】
【０００２】
近年、スキャナ、プリンタ、ＦＡＸ等の機能を有するＭＦＰ（Multi Function Printer）やＬＰ（laser Printer）等の画像形成装置が普及している。このＭＦＰ等の利便性を向上させる方法のひとつとして、起動時間の短縮が挙げられる。この起動時間は、定着部のレディまでの時間によって決定されていた。そして、この定着部のレディまでの時間を短縮するために、省電力モードから通常動作モードへの移行と通常動作モード時とで定着部の動作を制御する定着制御手段を切替えるような技術が開示されている（例えば、特許文献１参照）。
【０００３】
上記したように、定着部における技術進歩に伴い定着部のレディまでの時間が短縮されてきている一方、画像形成装置を制御するコントローラ部のソフトウェア規模の肥大化により、コントローラ部の要因でＭＦＰ等の画像形成装置の起動時間が決まるケースが発生し、コントローラ側として課題が認識されてきている。
【０００４】
上記課題を解決するために、プログラム展開されたＤＲＡＭ（Dynamic Random AccessMemory）に電力を常時供給しておき、毎回ＳＴＲ（Suspend To RAM）状態から復帰とすることで、起動時間を短縮するという技術がある。
【０００５】
ここで、ＭＦＰ等の画像形成装置を常に待ち受け状態にしておくために、例えばオフィスでは朝出社してすぐに主電源をオンしておく場合が多い。近年普及しているＭＦＰ等の画像形成装置は、複数の機能実現のために機能の異なるユニットを内蔵しているが、主電源のオン時には、画像形成装置内で大きな電力を使用する部分である画像形成部等のユニットも含んだ全てのブロックに一度通電されることが多い。そして、印刷要求や操作入力が一定時間以上ない場合は、画像形成装置に内蔵されるタイマで自動的に、あるいはユーザの操作入力によって省電力モードに移行するといった制御が一般的に行われている。
【０００６】
しかしながら、もし省電力モードに移行するまでの間に画像形成装置の使用がない場合は、起動時に通常動作モードにするための電力（初期起動電力という）が一回分無駄になってしまうという問題があった。特に電子写真方式における画像形成装置の消費電力は、画像形成部、特に定着部における消費電力が大きな割合を占めていることが知られているため、ＭＦＰ等における環境や省エネ要求の観点からも、この初期起動電力を無くすことは重要である。
【０００７】
上記問題を解決するために、画像形成装置を通常動作モードで起動するか、又は起動後すぐに省電力モードに移行するかを設定する技術が開示されている（例えば、特許文献２参照）。
【発明の概要】
【発明が解決しようとする課題】
【０００８】
上記特許文献２記載の技術では、省電力モードへの移行回数や印刷頻度等の画像形成装置の使用履歴に基づいて、画像形成装置を通常動作モードで起動するか又は起動後すぐに省電力モードに移行するかを判定している。しかし、この判定方法ではすべての状況に対応できるとはいえない。例えば、画像形成装置の電源がオン時に機器の使用履歴に基づいて通常動作モードで起動したが、所定の時間画像形成装置の利用が無かった場合には、結果的に初期起動電力が無駄になってしまう恐れがあった。また、初回着荷時について触れられておらず、仮に初回電源オン時が通常動作モードでの起動であり、その初回にしばらく使用が無かった場合は、初期起動電力は無駄となってしまう恐れもあった。
【０００９】
さらに、ジョブ要求を起点に省電力モードから復帰、すなわち各ユニットに通電し、プログラム展開するとなると、上述のように各ユニットの初期起動準備（イニシャライズ）と、プログラム展開などの起動時処理やプログラムの実行に時間がかかってしまい、画像形成装置が使用できるまでジョブ及びユーザが待たされることになる恐れがあった。これは、特にＦＡＸでは深刻であり、受信時において、最初の着呼からＦＡＸユニットへの電力の供給を開始し、プログラムを展開してから受信したのでは、ＦＡＸの送信側の装置の通信時間が増え、それに伴い料金も増えてしまう恐れがあった。
【００１０】
本発明は、上記に鑑みてなされたものであって、起動時の無駄な電力の消費を抑制可能な電気機器、画像形成装置、電気機器制御方法及びプログラムを提供することを目的とする。
【課題を解決するための手段】
【００１１】
上述した課題を解決し、目的を達成するために、本発明は、電気機器であって、所定の処理を行う少なくとも１つの処理手段と、電源から得られる電力の前記処理手段への供給又は供給の遮断を制御する電源制御手段と、前記電源から電力が得られた場合、起動時処理を行うメイン制御手段と、前記起動時処理の後に、前記処理手段の全部又は一部に対して電力を供給しないよう前記電源制御手段を制御するサブ制御手段とを備えることを特徴とする。
【００１２】
また、本発明は、各々異なる処理を行う少なくとも１つの処理手段と、電源から得られる電力の前記処理手段への供給又は供給の遮断を制御する電源制御手段と、メイン制御手段と、前記起動時処理の後に、前記処理手段の全部又は一部に対して電力を供給しないよう前記電源制御手段を制御するサブ制御手段とを備える電気機器で実行される電源制御方法であって、前記サブ制御手段が、前記処理手段の全部又は一部によって実行されるジョブの要求を受け付けた場合に、前記処理手段に対して電力を供給するよう前記電源制御手段を制御するステップを含むことを特徴とする。
【００１３】
また、本発明は、各々異なる処理を行う少なくとも１つの処理手段と、電源から得られる電力の前記処理手段への供給又は供給の遮断を制御する電源制御手段と、メイン制御手段と、前記起動時処理の後に、前記処理手段の全部又は一部に対して電力を供給しないよう前記電源制御手段を制御するサブ制御手段とを備える電気機器で実行される電源制御方法であって、前記サブ制御手段が、前記処理手段の全部又は一部によって実行されるジョブの要求を受け付けた場合に、前記処理手段のうち、前記ジョブの実行に必要な第１処理手段を判定し、前記第１処理手段に対して電力を供給するよう前記電源制御手段を制御するステップを含むことを特徴とする。
【発明の効果】
【００１４】
本発明によれば、起動時の無駄な電力の消費を抑制可能になる。
【図面の簡単な説明】
【００１５】
【図１】図１は、第１の実施形態に係る画像形成装置のハードウェア構成を概略的に例示する図である。
【図２】図２は、画像形成装置１００の起動時の処理の手順を示すフローチャートである。
【図３】図３は、本実施の形態に係る画像形成装置１００において電源がオンにされてからの経過時間と消費電力との関係を示すタイムチャートである。
【図４】図４は、本実施の形態に係る画像形成装置１００において電源がオンにされてからの経過時間と消費電力との関係を示すタイムチャートである。
【図５】図５は、従来の画像形成装置において電源がオンにされてからの経過時間と消費電力との関係を示すタイムチャートである。
【図６】図６は、従来の画像形成装置において電源がオンにされてからの経過時間と消費電力との関係を示すタイムチャートである。
【図７】図７は、従来の画像形成装置において電源がオンにされてからの経過時間と消費電力との関係を示すタイムチャートである。
【図８】図８は、第２の実施の形態に係る画像形成装置１００の起動後、ジョブ入電によりジョブを実行する処理の手順を示すフローチャートである。
【図９】図９は、本実施の形態に係る画像形成装置において電源がオンにされてからの経過時間と消費電力との関係を示すタイムチャートである。
【図１０】図１０は、第３の実施の形態に係る操作パネル１１５において、遮断設定時間を設定するための設定画面の表示例を示す図である。
【図１１】図１１は、本実施の形態に係る画像形成装置において電源がオンにされてからの経過時間と消費電力との関係を示すタイムチャートである。
【発明を実施するための形態】
【００１６】
以下に添付図面を参照して、この発明にかかる電気機器、画像形成装置、電気機器制御方法及びプログラムの一実施の形態を詳細に説明する。
【００１７】
[第１の実施の形態]
図１は、本実施の形態に係る画像形成装置のハードウェア構成を概略的に例示する図である。図１に示すように、本実施の形態に係る画像形成装置１００は、コントローラ１０１と、メイン電源ユニット１１１と、操作パネル１１５、ＦＡＸ１１６、画像読取部１１７及び画像形成部１１８の各ユニットと、電源制御基板１１９とを有する。各ユニットはそれぞれ、所定の処理を行う処理手段であり、特に、ＦＡＸ１１６、画像読取部１１７及び画像形成部１１８はそれぞれ、画像の形成に係る処理を行う処理手段である。
【００１８】
コントローラ１０１は、画像形成装置１００全体を制御するものであり、主メモリ回路電源生成部１０２、メインＣＰＵ（Central Processing Unit）回路電源生成部１０３、サブＣＰＵ回路１０４、主メモリ回路１０６及びメインＣＰＵ回路１０８を備え、ＰＣ(Personal Computer)などの外部装置１２０と専用線又はネットワークを介して接続される。ネットワークとは、例えば、ＬＡＮ（Local Area Network）、イントラネット、イーサネット（登録商標）又はインターネットなどである。主メモリ回路１０６は、主メモリ１０７と終端電圧抵抗Ａ（不図示）とを備える。サブＣＰＵ回路１０４は、サブＣＰＵ１０５及びＮＶ１１０を備える。メインＣＰＵ回路１０８は、メインＣＰＵ１０９を備える。主メモリ１０７は、例えば、ＲＯＭ（Read Only Memory）やＤＲＡＭ（Dynamic Random Access Memory）などのメモリであり、システムプログラムや、画像の印刷や読み取りやＦＡＸ通信を行うための各種アプリケーションプログラムなどの各種プログラムや各種データを記憶する。メインＣＰＵ１０９は、主メモリ１０７に記憶されたシステムプログラムを展開することにより起動時処理を行ってコントローラ１０１を起動させる。また、メインＣＰＵ１０９は、主メモリ１０７に記憶された各種アプリケーションプログラムを実行することにより、各種処理を実行する。ＮＶ１１０は、ＮＶＲＡＭ（Non Volatile RAM）であり、各種データや各種プログラムを記憶する。サブＣＰＵ１０５は、各ユニットへの通電を制御する電源制御基板１１９を制御して、各ユニットへの電力の供給及びその供給の遮断を制御し、メインＣＰＵ回路電源生成部（ＤＣ／ＤＣ）１０３を制御してメインＣＰＵ回路１０８への通電を制御して、メインＣＰＵ１０９への電力の供給及びその供給の遮断を制御する。そして、サブＣＰＵ１０５は、メインＣＰＵ１０９への電力の供給が遮断された場合に、メインＣＰＵ１０９に代わって、ＮＶ１１０に記憶された各種プログラムを実行することにより、画像形成装置１００全体又はその一部を制御する。主メモリ回路電源生成部（ＤＣ／ＤＣ）１０２は、主メモリ回路１０６へ電力を供給する。メインＣＰＵ回路電源生成部（ＤＣ／ＤＣ）１０３は、サブＣＰＵ１０５の制御の下、メインＣＰＵ１０９へ電力を供給する。
【００１９】
メイン電源ユニット１１１は、メインスイッチ（ＡＣＳＷ）１１４と、ＡＣ／ＤＣ電源生成部１１３とを備え、切り替えの操作に応じてメインスイッチ１１４がオン又はオフにされることにより、ＡＣ電源からのＡＣ／ＤＣ電源生成部１１３への電力の供給又はその遮断を切り替える。ＡＣ／ＤＣ電源生成部１１３は、ＡＣ電源から供給される電力としての交流電圧(ＡＣ電源)を直流電圧（ＤＣ電源）に変換して、サブＣＰＵ回路１０４、主メモリ回路電源生成部１０２、メインＣＰＵ回路電源生成部１０３及び電源制御基板１１９に電力を供給する。電源制御基板１１９は、サブＣＰＵ１０５の制御の下、各ユニットへの通電を制御する。操作パネル１１５は、情報を表示する表示部と、ユーザの操作入力を受け付けるキーボードやマウス等の操作入力部とが一体的に形成されたものである。ＦＡＸ１１６は、公衆回線網を介して画像データの送受信（ＦＡＸ通信）を行う。画像読取部１１７は、例えばＣＣＤ（Charge Coupled Device）等の撮像素子で原稿に表される画像の読取りを行うスキャナである。また、画像形成部１１８は、例えば、白黒プロッタ、１ドラムカラープロッタ又は４ドラムカラープロッタとＡＳＩＣ（Application Specific Integrated Circuit）と、紙などの印刷媒体に画像を定着させるための定着部とを含むプリンタである。画像形成部１１８は、コントローラ１０１の指示に従って、画像読取部１１７が読み取った画像を表す画像データ又は外部装置１２０などの外部装置から受信した画像データに対して、誤差拡散やガンマ変換等の各種画像処理を行い、画像処理後の画像データを用いて、印刷媒体に画像を形成することにより、印刷を行う。
【００２０】
ここで、操作パネル１１５、ＦＡＸ１１６、画像読取部１１７及び画像形成部１１８の各ユニットとメインＣＰＵ１０９との接続及びメインＣＰＵ１０９とサブＣＰＵ１０４との接続について説明する。各ユニットとメインＣＰＵ１０９とは各々、ホットプラグ対応信号を通信可能な信号線で接続されており、メインＣＰＵ１０９とサブＣＰＵ１０５とは、ホットプラグ対応信号を通信可能な信号線で接続されている。ホットプラグとは、ホスト側に電力が供給されている状態で、マスタ側の脱着が可能である接続規格である。各ユニットとメインＣＰＵ１０９との接続では、メインＣＰＵ１０９がホスト側であり、各ユニットがマスタ側である。メインＣＰＵ１０９とサブＣＰＵ１０５との接続では、サブＣＰＵ１０５がホスト側であり、メインＣＰＵ１０９がマスタ側である。このホットプラグ対応信号の代表としては、ＵＳＢ（Universal Serial Bus）、ＰＣＩ（Peripheral Component Interconnect）、ＰＣＩｅ（PCI express）、ＳＡＴＡ（Serial ATA）等が挙げられるが、これに限定されるものではない。このような構成によれば、サブＣＰＵ１０５に電力が供給されている状態でも、メインＣＰＵ１０５への電力の供給及び電力の供給の遮断を切り替えることができる。また、メインＣＰＵ１０９へ電力が供給されている状態であっても、各ユニットへの電力の供給及び電力の供給の遮断を各々独立して切り替えることが可能である。尚、各ユニットへの電力の供給及び電力の供給の遮断を各々独立して切り替える構成については、第２の実施の形態で説明する。
【００２１】
次に、サブＣＰＵ１０５が各種プログラムを実行することにより、本実施の形態に特有に実現される各種機能について説明する。尚、画像形成装置１００のメインスイッチ１１４がオンにされて、ＡＣ電源からＡＣ／ＤＣ電源生成部１１３へ電力が供給され、サブＣＰＵ回路１０４に電力が供給されると、サブＣＰＵ回路１０４が初期化動作を行う。この初期化動作が完了すると、サブＣＰＵ１０５は、メインＣＰＵ回路電源生成部１０３からメインＣＰＵ回路１０８へ電力を供給させる。メインＣＰＵ回路１０８で初期化動作を完了して、メインＣＰＵ１０９が、実行するシステムプログラムを主メモリ１０７に展開することにより起動時処理を行うと、コントローラ１０１の起動が完了となる。この後、サブＣＰＵ１０５は、メインＣＰＵ回路電源生成部１０３からメインＣＰＵ回路１０８への電力の供給を遮断させる。この結果、コントローラ１０１は省電力モード（ＳＴＲ）に移行する。この状態をシステム（コントローラ１０１）の省電力モードと呼ぶ。
【００２２】
この状態で、サブＣＰＵ１０５は、外部装置１２０から、画像処理として、例えば、画像の印刷やＦＡＸ送信を要求する指示データを受信することによりジョブの要求を受け付けると、メインＣＰＵ回路電源生成部１０３からメインＣＰＵ回路１０８へ電力を供給させ、電源制御基板１１９から各ユニットへ電力が供給されるよう電源制御基板１１９を制御する。この結果、メインＣＰＵ１０９により、当該画像処理が制御されて、当該画像処理に応じたユニットにより、当該画像処理が実行される。画像処理に応じたユニットとは、画像処理が画像の印刷である場合、画像形成部１１８であり、画像処理がＦＡＸ送信である場合、ＦＡＸ１１６及び画像読取部１１７である。尚、メインＣＰＵ１０９及び各ユニットに電力が供給されている状態を通常動作モードと呼ぶ。また、この通常動作モードにおいて所定の移行条件が成立する場合にサブＣＰＵ１０５を含むコントローラ１００はスタンバイモードに遷移する。所定の移行条件とは、例えば、操作パネル１１５を介した操作入力がない状態やＦＡＸ１１６、画像読取部１１７及び画像形成部１１８が各々動作していない状態が所定時間以上であることである。スタンバイモードでは、コントローラ１００が待機状態となるため、通常動作モードに比べて消費電力が低減される。そして、スタンバイモードにおいて所定の移行条件が成立する場合に画像形成装置１００全体が省電力モードに遷移する。尚、スタンバイモードに移行時の所定の移行条件と、省電力モードに移行時の所定の条件とは同じであっても異なっていても良いし、前者と後者とで所定の移行条件における所定時間は同じであっても異なっていても良い。
【００２３】
次に、本実施の形態に係る画像形成装置１００の起動時の処理の手順について図２を用いて説明する。画像形成装置１００のメインスイッチ１１４がオフからオンにされると（ステップＳ１）、ＡＣ／ＤＣ電源生成部１１３へ電力が供給され、ＡＣ／ＤＣ電源生成部１１３は、サブＣＰＵ回路１０４、主メモリ回路電源生成部１０２、メインＣＰＵ回路電源生成部１０３及び電源制御基板１１９に電力を供給し、この結果、サブＣＰＵ回路１０４に電力が供給され、主メモリ回路電源生成部１０２を介して主メモリ１０７に電力が供給される（ステップＳ２）。電力が供給されたサブＣＰＵ回路１０４が初期化動作を行い、この初期化動作が完了すると（ステップＳ３）、サブＣＰＵ１０５が、メインＣＰＵ回路電源生成部１０３からメインＣＰＵ回路１０８へ電力を供給させる（ステップＳ４）。尚、ここでは、サブＣＰＵ１０５は、電源制御基板１１９から各ユニットへ電力が供給されないよう電源制御基板１１９を制御する。電力が供給されたメインＣＰＵ回路１０８が初期化動作を行い、この初期化動作が完了すると（ステップＳ５）、メインＣＰＵ１０９が、実行するシステムプログラムを主メモリ１０７に展開することにより起動時処理を行う（ステップＳ６）。この後、サブＣＰＵ１０５が、メインＣＰＵ回路電源生成部１０３からメインＣＰＵ回路１０８への電力の供給を遮断させると（ステップＳ７）、コントローラ１０１は省電力モード（ＳＴＲ）に移行する。尚、この後、サブＣＰＵ１０５は、外部装置１２０から、画像処理として、例えば、画像の印刷を要求する指示データを受信してジョブの要求を受け付けた場合、メインＣＰＵ回路電源生成部１０３からメインＣＰＵ回路１０８へ電力を供給させ、電源制御基板１１９から各ユニットへ電力が供給されるよう電源制御基板１１９を制御する。この結果、メインＣＰＵ１０９及び各ユニットへ電力が供給される。そして、通常動作モードへ移行すべく、メインＣＰＵ１０９は、主メモリ１０７に展開されたシステムプログラムを実行し、要求された画像処理に応じたアプリケーションプログラムを実行して、当該画像処理に応じたユニットに当該画像処理を実行させることにより、当該画像処理のジョブを実行する。
【００２４】
ここで、本実施の形態に係る画像形成装置１００においてメインスイッチ１１４（電源）がオンにされてからの経過時間と消費電力との関係について図３〜４を用いて説明する。図３〜４では、電源がオンにされて起動時処理が行われた後省電力モードに移行し、ジョブが受け付けられてジョブ入電により通常動作モードに移行すべく、各ユニットに徐々に電力が供給されて（ウォームアップ）、ウォームアップの完了後、ジョブが実行され、ジョブの完了後スタンバイモードに遷移してその後省電力モードに移行することが示されている。尚、消費電力は、省電力モードが最も少なく、スタンバイモード、通常動作モードの順で多くなる。一方、従来の画像形成装置では、例えば、図５に示されるように、電源がオンにされて起動後、ウォームアップがなされて通常動作モードに移行するが、所定の移行条件が成立した場合にスタンバイモードに移行し、ジョブ入電により通常動作モードに移行して、ジョブが実行されることが示されている。図６では、起動後に通常動作モードに移行し、その後、所定の移行条件が成立した場合にスタンバイモードに移行し、その後省電力モードに移行し、ジョブ入電により通常動作モードに移行して、ジョブが実行されることが示されている。特に、図６の例では、電源がオンにされて通常動作モードに移行したものの、所定時間以上ジョブがなければ、省電力モードに移行するため、起動時に通常動作モードにするための電力が無駄になってしまう。従来技術欄で説明した特許文献２の技術では、この無駄をできるだけ回避するために、使用履歴に基づいて起動時のモードの選択を行っている。このため、例えば、起動時のモードとして、省電力モードが選択された場合には、図７に示されるように、電源がオンにされて起動した後省電力モードに移行し、ジョブ入電により通常動作モードに移行して、ジョブが実行され、ジョブの完了後スタンバイモードに遷移してその後省電力モードに移行する場合もある。しかし、起動時のモードを選択する手段の想定と実際とが異なった場合には、やはり電力の無駄が生じてしまう。つまり、上記特許文献２の技術でも、例えば、図６に示されるように、場合によっては無駄な消費電力が生じる恐れがあるのである。
【００２５】
他方、本実施の形態に係る画像形成装置１００では、起動時のモードの選択を行わず、起動時には常に省電力モードで起動する。このため、図３〜４に例示したように、本実施の形態に係る画像形成装置１００では、起動時に通常動作モードになった場合に生じ得る無駄な消費電力をなくすことができる。即ち、本実施の形態に係る画像形成装置１００は、常に省電力モードで起動することで、無駄な消費電力を低減することが可能となる。
【００２６】
尚、本実施の形態に係る画像形成装置１００では、電源がオンにされた時には、サブＣＰＵ回路１０４及び主メモリ１０７にしか電力を供給せず、ジョブ入電をトリガとしてメインＣＰＵ１０９及び各ユニットに電力を供給する。これにより、無駄な消費電力を更に低減することができる。
【００２７】
また、電源がオンにされているときには、画像形成装置１００のモードに関わらず、主メモリ１０７には常に電力が供給されているので、主メモリ１０７は展開されたシステムプログラムや各種データを保持することが可能であり、スタンバイモードや省電力モードから通常動作モードに移行してジョブの実行を開始するまでの時間を短縮できる。即ち、本実施の形態に係る画像形成装置１００では、無駄な消費電力を低減しつつ、ジョブ入電からジョブの実行の開始までの時間を短縮することが可能となる。
【００２８】
[第２の実施の形態]
次に、電気機器、画像形成装置、電気機器制御方法及びプログラムの第２の実施の形態について説明する。なお、上述の第１の実施の形態と共通する部分については、同一の符号を使用して説明したり、説明を省略したりする。
【００２９】
本実施の形態においては、電源制御基板１１９がユニット毎に独立して電力の供給及び電力の供給の遮断を制御する。即ち、本実施の形態においては、電源制御基板１１９によってユニット毎に独立して通電を制御することで、省電力モード時にジョブを受け付けるためのユニットや、受け付けられたジョブを実行するためのユニットだけに電力を供給して、必要に応じて消費電力を最適化する。
【００３０】
具体的には、サブＣＰＵ１０５は、省電力モードに移行する際、各ユニットのうち、ユーザからの操作入力を受け付けるための操作パネル１１５及びＦＡＸ受信を要求する指示データを受信するためのＦＡＸ１１６にのみ電力を供給するよう電源制御基板１１９を制御する。また、サブＣＰＵ１０５は、省電力モードにおいて、外部装置１２０及び操作パネル１１５のうち少なくとも一方を介してジョブの要求を受け付けた場合、当該ジョブの種類に応じて、電力を供給させる必要のあるユニットを判定し、電力を供給させる必要のあるユニットにのみ電力を供給するよう電源制御基板１１９を制御する。また、サブＣＰＵ１０５は、第１の実施の形態と同様にしてメインＣＰＵ回路電源生成部１０３からメインＣＰＵ回路１０８へ電力を供給させて、メインＣＰＵ１０９にジョブの実行の制御を移す。
【００３１】
例えば、サブＣＰＵ１０５は、外部装置１２０から、画像処理として、画像の印刷を要求する指示データを受信した場合、ジョブの種類は画像の印刷であると判定し、この場合、各ユニットのうち電力を供給させる必要のあるユニットは画像形成部１１８であると判定する。つまり、ジョブとして画像の印刷を行う場合、画像形成部１１８のみ電力が供給されていれば良く、操作パネル１１５、ＦＡＸ１１６及び画像読取部１１７への電力の供給は必要ない。従って、この場合、サブＣＰＵ１０５は、画像形成部１１８のみに電力を供給するよう電源制御基板１１９を制御する。
【００３２】
また、サブＣＰＵ１０５は、操作パネル１１５を介して、画像処理として、画像の読み取りを要求する操作入力を受け付けた場合、ジョブの種類は画像の読み取りであると判定し、この場合、各ユニットのうち電力を供給させる必要のあるユニットは画像読取部１１７であると判定する。つまり、ジョブとして画像の読み取りを行う場合、画像読取部１１７のみ電力が供給されていれば良く、操作パネル１１５、ＦＡＸ１１６及び画像形成部１１８への電力の供給は必要ない。従って、この場合、サブＣＰＵ１０５は、画像読取部１１７のみに電力を供給するよう電源制御基板１１９を制御する。
【００３３】
また、サブＣＰＵ１０５は、操作パネル１１５を介して、画像形成装置１００の設定の確認や設定の変更を要求する操作入力を受け付けた場合、ジョブの種類は画像の読み取りであると判定し、この場合、各ユニットのうち電力を供給させる必要のあるユニットは操作パネル１１５であると判定する。つまり、ジョブとして画像形成装置１００の設定に関する情報を表示したりその設定を変更したりする場合、操作パネル１１５のみ電力が供給されていれば良く、ＦＡＸ１１６、画像読取部１１７及び画像形成部１１８への電力の供給は必要ない。従って、この場合、サブＣＰＵ１０５は、操作パネル１１５のみに電力を供給するよう電源制御基板１１９を制御する。
【００３４】
また、サブＣＰＵ１０５は、ＦＡＸ１１６を介して、画像処理として、ＦＡＸ受信を要求する指示データを受信した場合、ジョブの種類はＦＡＸ受信であると判定し、この場合、各ユニットのうち電力を供給させる必要のあるユニットはＦＡＸ１１６及び画像形成部１１８であると判定する。つまり、ジョブとしてＦＡＸ受信を行う場合、ＦＡＸ１１６及び画像形成部１１８のみ電力が供給されていれば良く、操作パネル１１５及び画像読取部１１７への電力の供給は必要ない。従って、この場合、サブＣＰＵ１０５は、ＦＡＸ１１６及び画像形成部１１８のみに電力を供給するよう電源制御基板１１９を制御する。尚、ＦＡＸ受信を要求する指示データには、画像データが含まれると共に、当該画像データによって表される画像の印刷を直ちに行うか否かを示す出力条件が含まれるようにしても良い。この場合、ＦＡＸ１１６を介して受信された指示データに含まれる出力条件によって、当該画像の印刷を直ちに行わないことが示される場合には、サブＣＰＵ１０５は、ＦＡＸ１１６のみに電力を供給するよう電源制御基板１１９を制御し、画像形成部１１８へ電力を供給しないようにしても良い。
【００３５】
また、サブＣＰＵ１０５は、操作パネル１１５を介して、画像処理として、ＦＡＸ送信を要求する操作入力を受け付けた場合、ジョブの種類はＦＡＸ送信であると判定し、この場合、各ユニットのうち電力を供給させる必要のあるユニットは操作パネル１１５、ＦＡＸ１１６及び画像読取部１１７であると判定する。つまり、操作パネル１１５を介して要求を受け付けたジョブとしてＦＡＸ送信を行う場合、操作パネル１１５、ＦＡＸ１１６及び画像読取部１１７のみ電力が供給されていれば良く、画像形成部１１８への電力の供給は必要ない。従って、この場合、サブＣＰＵ１０５は、操作パネル１１５、ＦＡＸ１１６及び画像読取部１１７のみに電力を供給するよう電源制御基板１１９を制御する。
【００３６】
また、サブＣＰＵ１０５は、外部装置１２０から、画像処理として、ＦＡＸ送信を要求する指示データを受信した場合、ジョブの種類はＦＡＸ送信であると判定し、この場合、各ユニットのうち電力を供給させる必要のあるユニットはＦＡＸ１１６及び画像読取部１１７であると判定する。つまり、外部装置１２０を介して受け付けたジョブとしてＦＡＸ送信を行う場合、ＦＡＸ１１６及び画像読取部１１７のみ電力が供給されていれば良く、操作パネル１１５及び画像形成部１１８への電力の供給は必要ない。従って、この場合、サブＣＰＵ１０５は、ＦＡＸ１１６及び画像読取部１１７のみに電力を供給するよう電源制御基板１１９を制御する。
【００３７】
次に、本実施の形態に係る画像形成装置１００の起動後、ジョブ入電によりジョブを実行する処理の手順について図８を用いて説明する。尚、画像形成装置１００の起動時における処理の手順については図２と同様であるため、その説明を省略する。以下では、図２のステップＳ７の後の処理の手順について説明する。省電力モードに移行した画像形成装置１００では、サブＣＰＵ１０５が、ジョブの受け付けを待機する。そして、サブＣＰＵ１０５は、外部装置１２０及び操作パネル１１５のうち少なくとも一方を介してジョブの要求を受け付けた場合（ステップＳ１０：ＹＥＳ）、当該ジョブの種類に応じて、電力を供給させる必要のあるユニットを判定する（ステップＳ１１）。ジョブの種類に応じたユニットの判定は上述した通りである。そして、サブＣＰＵ１０５は、電力を供給させる必要のあるユニットにのみ電力を供給するよう電源制御基板１１９を制御すると共に（ステップＳ１２）、メインＣＰＵ回路電源生成部１０３からメインＣＰＵ回路１０８へ電力を供給させる（ステップＳ１３）。ステップＳ１２，Ｓ１３の順番は限定されず、サブＣＰＵ１０５は、ステップＳ１２，Ｓ１３を並行して行っても良いし、ステップＳ１２の後ステップＳ１３を行っても良いし、ステップＳ１３の後にステップＳ１２を行っても良い。そして、電源制御基板１１９を介して電力が供給されたユニットは動作可能な状態となり（ステップＳ１４）、電力が供給されたメインＣＰＵ１０９は、当該ユニットによるジョブの実行を制御して、当該ジョブを実行する（ステップＳ１５）。
【００３８】
ここで、画像形成装置１００の電源がオンにされた後省電力モードに移行して、ステップＳ１０で、例えば、画像の読み取りのジョブを受け付けた場合のジョブ入電による消費電力について図９を用いて説明する。この場合、画像読取部１１７のみに電力が供給され、操作パネル１１５、ＦＡＸ１１６及び画像形成部１１８へは電力が供給されないため、第１の実施の形態で説明した図４に示されるように、全てのユニットに電力が供給される状態に比べて、ジョブ入電時の消費電力が少なくて済む。
【００３９】
以上のように、本実施の形態に係る画像形成装置１００は、省電力モードの段階で、要求されたジョブの実行に最低限必要なユニットを判定して、当該ユニットにのみ電力を供給させて、ジョブを実行する。これにより、ジョブあたりの消費電力を低減することが可能となる。つまり、ひとつのジョブのために、そのジョブに必要のない他のユニットにも電力を供給することにより無駄な消費電力を生じさせることなく、ジョブの実行に必要な電力のみの消費を実現することが可能となる。従って、画像形成装置１００全体の消費電力を必要最低限に留めることが可能になる。
【００４０】
[第３の実施の形態]
次に、電気機器、画像形成装置、電気機器制御方法及びプログラムの第３の実施の形態について説明する。なお、上述の第１の実施の形態又は第２の実施の形態と共通する部分については、同一の符号を使用して説明したり、説明を省略したりする。
【００４１】
本実施の形態においては、画像形成装置１００のサブＣＰＵ１０５は、時間を計時する計時部及びユニット毎のタイマを備え、電力が供給されている状態からその供給を遮断するまでの時間（遮断設定時間という）をユニット毎に独立して設定する。即ち、本実施の形態に係る画像形成装置１００では、スタンバイモードから省電力モードに移行する際に、各ユニットへの電力の供給を一斉に遮断するのではなく、電力の供給の遮断をユニット毎に異なるタイミングで行うことを可能にする。一般的に、定着部を含む画像形成部１１８は、電力の供給が遮断されている状態から電力が供給されて動作可能な状態になるまでに時間がかかる、即ち、復帰が遅い。一方、操作パネル１１５やＦＡＸ１１６は、電力の供給が遮断されている状態から電力が供給されて動作可能な状態になるまでの時間が早い、即ち、復帰が早い。このようなユニット毎の特性の違いを利用して、復帰が遅いユニットについては、電力の供給の遮断の時間を遅らせることで、当該ユニットに対して電力の供給が必要なジョブの要求が受け付けられた場合に当該ジョブをスムーズに実行することができ、復帰の早いユニットについては、電力の供給の遮断を早めることで、無駄な消費電力を低減することができる。これを実現可能にするために、本実施の形態に係る画像形成装置１００は、電力が供給されている状態からその供給を遮断するまでの時間（遮断設定時間）をユニット毎に独立して設定することで、消費電力の低減を効率的に行う。
【００４２】
遮断設定時間のユニット毎の設定は、例えば、ジョブ入電中における操作パネル１１５を介したユーザの操作入力に応じて行う。図１０は、操作パネル１１５において、遮断設定時間を設定するための設定画面の表示例を示す図である。同図に示されるプリンタは画像形成部１１８に対応し、スキャナは画像読取部１１７に対応し、ファクスはＦＡＸ１１６に対応し、パネルは操作パネル１１５に対応する。これらの各ユニットに対し、遮断設定時間を各々指定する操作入力をユーザが行なうと、サブＣＰＵ１０５は、各遮断設定時間をユニット毎のタイマに各々設定する。尚、図１０の設定画面において、各遮断設定時間の表示は、固定値ではなく、ある時点（例えばジョブの実行直後）からの経過時間に応じてカウントダウンされるように行っても良い。そして、サブＣＰＵ１０５は、操作パネル１１５を介した操作入力がない状態やＦＡＸ１１６、画像読取部１１７及び画像形成部１１８が各々動作していない状態が継続している時間（アイドル継続時間という）を計時部により計時し、アイドル継続時間が、ユニットに対するタイマに設定された遮断設定時間に達すると、当該ユニットに対する電力の供給を遮断するよう電源制御基板１１９を制御する。このような制御をサブＣＰＵ１０５はユニット毎に行う。
【００４３】
具体的に、電源がオンにされて起動した後省電力モードに移行し、その後、ジョブ入電により各ユニットに対して電力が供給されて通常動作モードに移行してジョブが実行された場合に各ユニットに対して電力の供給を遮断する例について図１１を用いて説明する。ここでは、例えば、図１０に例示されているように、各ユニットに対して設定された遮断設定時間は、画像形成部１１８に対して１５分であり、画像読取部１１７に対して１０分であり、ＦＡＸ１１６に対して１分であり、操作パネル１１５に対して１分であるとする。この場合、図１１に示されるように、ジョブの実行後、コントローラ１０１が待機状態になり（スタンバイ１モードという）、１分後に操作パネル１１５及びＦＡＸ１１６に対して電力の供給が遮断され（スタンバイ２モードという）、その９分後に、画像読取部１１７に対して電力の供給が遮断され（スタンバイ３モードという）、その５分後に画像形成部１１８に対して電力の供給が遮断されて、この結果、画像形成装置１００全体が省電力モードに移行する。このように、スタンバイ１モード、スタンバイ２モード及びスタンバイ３モードの順に段階的に消費電力が低減している。
【００４４】
一方、従来の画像形成装置は、図７に示されるように、スタンバイモードから省電力モードに移行する際に、各ユニットに対して電力の供給が一斉に遮断される。これに対し、上述したように、本実施の形態に係る画像形成装置１００では、各ユニットがスタンバイモードから省電力モードに移行する際に、復帰の早いユニットについては電力の供給の遮断を早め、復帰の遅いユニットについては電力の供給の遮断を遅らせることで、各ユニットへの電力の供給の遮断を段階的に行う。これにより、画像形成装置１００を利用する上での利便性を確保するができると共に、スタンバイモードにおける消費電力の低減を図ることが可能となる。
【００４５】
[変形例]
なお、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。また、以下に例示するような種々の変形が可能である。
【００４６】
上述した各実施の形態において、画像形成装置１００で実行される各種プログラムを、インターネット等のネットワークに接続されたコンピュータ上に格納し、ネットワーク経由でダウンロードさせることにより提供するように構成しても良い。また当該各種プログラムを、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録して提供するように構成しても良い。
【００４７】
上述の各実施の形態では、電気機器である画像形成装置１００として、コピー機能、プリンタ機能、スキャナ機能及びファクシミリ機能を有するＭＦＰを例にして説明したが、これに限らず、これらの機能のうち少なくとも２つを有する複合機であっても良いし、コピー機能を有する複写機、プリンタ機能を有するプリンタ、スキャナ機能を有するスキャナ装置、ファクシミリ機能を有するファクシミリ装置等であっても良い。また、電気機器として、画像形成装置に限らず、例えば、パーソナルコンピュータ、携帯情報端末、携帯電話機であっても良い。
【００４８】
上述の各実施の形態では、異なる処理を行う処理手段は、操作パネル１１５、ＦＡＸ１１６、画像読取部１１７及び画像形成部１１８であるとしたが、これらに限らない。
【００４９】
上述の各実施の形態では、サブＣＰＵ１０５とメインＣＰＵ１０９との接続及びメインＣＰＵ１０９と各ユニットとの接続は、ホットプラグ対応信号を通信可能な信号線によるとしたが、これに限らず、例えば、メインＣＰＵ１０９と接続されるサブＣＰＵ１０５及び各ユニットのうち一部のみ、ホットプラグ対応信号を通信可能な信号線により接続されるようにしても良い。
【００５０】
上述の第４の実施の形態においては、各ユニットに対する遮断設定時間の設定は、図１０に示した設定画面におけるユーザの操作入力に応じて行なうようにしたが、これに限らず、外部装置１２０を介して行うようにしても良い。具体的には例えば、画像形成装置１００のサブＣＰＵ１０５は、各ユニットの全部又は一部に対する遮断設定時間の設定を要求する指示データを外部装置１２０から受信した場合、当該指示データによって要求された各ユニットに対する遮断設定時間をＮＶＲＡＭ１１０に記憶させる。ユニットに対して既に記憶された遮断設定時間を変更する場合には、サブＣＰＵ１０５は、ＮＶＲＡＭ１１０に記憶された遮断設定時間を、指示データによって要求された遮断設定時間に更新する。そして、サブＣＰＵ１０５は、通常動作モードにおいて、アイドル継続時間を計時部により計時し、アイドル継続時間が、ユニットに対応してＮＶＲＡＭ１１０に記憶された遮断設定時間に達すると、当該ユニットに対する電力の供給を遮断するよう電源制御基板１１９を制御する。このような制御をサブＣＰＵ１０５はユニット毎に行う。このような構成によれば、画像形成装置１００から離れた位置からでも遮断設定時間を設定して変更することが可能である。また、遮断設定時間をＮＶＲＡＭ１１０に記憶させることで、電源がオフにされても、その設定を保存することができるので、電源がオンにされる度にユーザが遮断設定時間の設定をしなくても良く、ユーザの利便性を向上させることが可能となる。
【符号の説明】
【００５１】
１００    画像形成装置
１０１    コントローラ
１０２    主メモリ回路電源生成部
１０３    メインＣＰＵ回路電源生成部
１０４    サブＣＰＵ回路
１０５    サブＣＰＵ
１０６    主メモリ回路
１０７    主メモリ
１０８    メインＣＰＵ回路
１０９    メインＣＰＵ
１１０    ＮＶＲＡＭ
１１１    メイン電源ユニット
１１３    ＡＣ／ＤＣ電源生成部
１１４    ＡＣスイッチ
１１５    操作パネル
１１６    ＦＡＸ
１１７    画像読取部
１１８    画像形成部
１１９    電源制御基板
１２０    外部装置
【先行技術文献】
【特許文献】
【００５２】
【特許文献１】特開２００２−２６８４４１号公報
【特許文献２】特開２００４−２３０６０５号公報
【図１】
2011028727.tif 000003
【図２】
2011028727.tif 000004
【図３】
2011028727.tif 000005
【図４】
2011028727.tif 000006
【図５】
2011028727.tif 000007
【図６】
2011028727.tif 000008
【図７】
2011028727.tif 000009
【図８】
2011028727.tif 000010
【図９】
2011028727.tif 000011
【図１０】
2011028727.tif 000012
【図１１】
2011028727.tif 000013